(57)【要約】【課題】操作ボタンの構造が複雑になるのを抑制するとともに、操作ボタンの操作性が良好な電子機器を提供する。【解決手段】このビデオカメラ（電子機器）１は、押圧可能な中央ボタン７と中央ボタン７の周りに十字状に配置された押圧可能な４つの押圧部（右ボタン８ａ、左ボタン８ｂ、上ボタン８ｃおよび下ボタン８ｄ）を含む十字ボタン８とを含む操作ボタンと、操作ボタンの裏面側に、平面的に見て重なるように配置され、中央ボタン７に対応する１個の第１スイッチ部１２を含む第１配線基板１１および十字ボタン８の４つの押圧部に対応する４個の第２スイッチ部１４を含む第２配線基板とを備える。【選択図】図５
2009048844.tif 000002
【特許請求の範囲】
【請求項１】
押圧可能な中央ボタンと前記中央ボタンの周りに十字状に配置された押圧可能な４つの押圧部を含む十字ボタンとを含む操作ボタンと、
前記操作ボタンの裏面側に、平面的に見て重なるように配置され、前記中央ボタンに対応する１個の第１スイッチ部を含む第１配線基板および前記十字ボタンの４つの押圧部に対応する４個の第２スイッチ部を含む第２配線基板とを備える、電子機器。
【請求項２】
前記第１配線基板および前記第２配線基板のうち、前記操作ボタン側に配置される側は、前記操作ボタンとは反対側に配置される側のスイッチ部を押圧するための穴部を含む、請求項１に記載の電子機器。
【請求項３】
前記中央ボタンの裏面に一体的に設けられた第１ボス部と、
前記十字ボタンの４つの押圧部の裏面に一体的に設けられた４つの第２ボス部とをさらに備え、
前記第２配線基板は、前記第１配線基板よりも前記操作ボタン側に配置されるとともに、前記第２配線基板に前記穴部が設けられ、
前記第１ボス部の長さは前記第２ボス部の長さよりも大きく形成され、
前記第１ボス部は、前記第２配線基板の前記穴部を介して前記第１配線基板の前記第１スイッチ部を押圧可能なように構成されている、請求項２に記載の電子機器。
【請求項４】
前記第２配線基板の前記操作ボタンとは反対側に配置される前記第１配線基板は、前記第２配線基板よりも面積が小さくなるように形成されている、請求項３に記載の電子機器。
【請求項５】
前記第２配線基板に設けられた４個の前記第２スイッチ部が十字状に配置された場合に、前記第２配線基板の端部側に設けられた前記第２スイッチ部が、他の前記第２スイッチ部よりも前記第２スイッチ部の十字の交点により近くなるように配置されている、請求項１〜４のいずれか１項に記載の電子機器。
【請求項６】
前記第２配線基板の少なくとも一部と平面的に見て重なるように配置された表示部をさらに備え、
前記十字ボタンおよび中央ボタンを含む操作ボタンは、前記表示部に隣接するように設けられ、
前記第２配線基板の前記表示部が配置される側とは反対側の端部側に設けられた前記第２スイッチ部が、他の前記第２スイッチ部よりも前記第２スイッチ部の十字の交点により近くなるように配置されている、請求項５に記載の電子機器。
【発明の詳細な説明】
【技術分野】
【０００１】
この発明は、電子機器に関し、特に、操作ボタンを備えた電子機器に関する。
【背景技術】
【０００２】
従来、電子機器などにおいては、中央ボタンや十字ボタンなどの操作ボタンが知られている（たとえば、特許文献１〜３参照）。
【０００３】
上記特許文献１には、電子機器などの操作ボタンを狭いスペースでも配置できるように、操作ボタンを横長形状に形成し、上下用と、左用と、右用との３つのボタンを有するように構成した電子機器が開示されている。
【０００４】
また、上記特許文献２には、操作ボタンを確実にスイッチングするために、操作ボタンの傾斜角度（チルト角）を大きくするための構成が開示されている。また、操作ボタンの構成部品として、ボタン部と、スプリングと、ボタン部を支持するためのベースと、操作ボタンの外周面に設けられた係止部と、操作ボタンの裏面に設けられたボタンピンとを用いている。また、操作ボタンの外周面に設けられた係止部と操作ボタンの裏面に設けられたボタンピンとの間隔を狭くすることにより操作ボタン自体が小型に形成されている。
【０００５】
また、上記特許文献３には、カメラのストロボ機能を使用する際に操作する操作ボタンが開示されている。
【０００６】
【特許文献１】特開２００１−２１８０９３号公報
【特許文献２】特開２００４−１４６３０１号公報
【特許文献３】特開平１１−２１２１５９号公報
【発明の開示】
【発明が解決しようとする課題】
【０００７】
しかしながら、上記特許文献１に記載の操作ボタンは、操作ボタンを横長形状に形成することにより、狭いスペースでも配置することが可能である一方、操作ボタンを３つ使用するため、操作ボタンの構造が複雑になるという問題点がある。
【０００８】
また、上記特許文献２に記載の操作ボタンは、確実にスイッチングするために、操作ボタンの傾斜角度（チルト角）を大きくすることができる一方、操作ボタンは、ボタン部と、スプリングと、ボタン部を支持するためのベースと、操作ボタンの外周面に設けられた係止部と、操作ボタンの裏面に設けられたボタンピンとが必要であるため、操作ボタンの構造が複雑になるという問題点があると考えられる。
【０００９】
また、上記特許文献３に記載の操作ボタンは、ストロボ機能を使用する際に操作するボタンであり、操作ボタンは１個のみ取り付けられているだけであるので、操作性が不十分であると考えられる。
【００１０】
この発明は、上記のような課題を解決するためになされたものであり、この発明の１つの目的は、操作ボタンの構造が複雑になるのを抑制するとともに、操作ボタンの操作性が良好な電子機器を提供することである。
【課題を解決するための手段および発明の効果】
【００１１】
この発明の一の局面による電子機器は、押圧可能な中央ボタンと中央ボタンの周りに十字状に配置された押圧可能な４つの押圧部を含む十字ボタンとを含む操作ボタンと、操作ボタンの裏面側に、平面的に見て重なるように配置され、中央ボタンに対応する１個の第１スイッチ部を含む第１配線基板および十字ボタンの４つの押圧部に対応する４個の第２スイッチ部を含む第２配線基板とを備える。
【００１２】
この一の局面による電子機器では、上記のように、押圧可能な中央ボタンと中央ボタンの周りに十字状に配置された押圧可能な４つの押圧部を含む十字ボタンとで操作ボタンを構成することによって、中央ボタンおよび十字ボタンの２つのボタンによって操作ボタンを構成することができるので、操作ボタンの構造が複雑になるのを抑制することができる。また、中央ボタンおよび十字ボタンによって５通りの押圧が可能であるので、十分な操作性を期待することができる。また、操作ボタンの裏面側に、平面的に見て重なるように中央ボタンに対応する１個の第１スイッチ部を含む第１配線基板と十字ボタンの４つの押圧部に対応する４個の第２スイッチ部を含む第２配線基板とを構成することによって、第１スイッチ部および第２スイッチ部を２つの配線基板に分けて配置することができるので、第１スイッチ部および第２スイッチ部を１つの配線基板上に配置する場合に比べて、第２スイッチ部の少なくとも１つを十字ボタンの交点（中心点）により近くなるように配置することができる。このため、第２スイッチ部を配置するのに必要な面積を小さくすることができるので、その分、表示部などを配置するために必要な面積をより多く確保することができる。
【００１３】
上記一の局面による電子機器において、好ましくは、第１配線基板および第２配線基板のうち、操作ボタン側に配置される側は、操作ボタンとは反対側に配置される側のスイッチ部を押圧するための穴部を含む。このように構成すれば、第１配線基板および第２配線基板を平面的に重なるように配置したとしても、容易に穴部を介して操作ボタンとは反対側に配置される側の配線基板のスイッチ部を押圧することができる。
【００１４】
上記穴部が設けられた配線基板を含む電子機器において、好ましくは、中央ボタンの裏面に一体的に設けられた第１ボス部と、十字ボタンの４つの押圧部の裏面に一体的に設けられた４つの第２ボス部とをさらに備え、第２配線基板は、第１配線基板よりも操作ボタン側に配置されるとともに、第２配線基板に穴部が設けられ、第１ボス部の長さは第２ボス部の長さよりも大きく形成され、第１ボス部は、第２配線基板の穴部を介して第１配線基板の第１スイッチ部を押圧可能なように構成されている。このように構成すれば、容易に第１ボス部を用いて、第２配線基板の穴部を介して第１配線基板の第１スイッチ部を押圧することができる。
【００１５】
この場合、好ましくは、第２配線基板の操作ボタンとは反対側に配置される第１配線基板は、第２配線基板よりも面積が小さくなるように形成されている。このように構成すれば、第１配線基板とは別個に第２配線基板を設けた場合にも、配線基板の構成材料の量が大幅に増加するのを抑制することができる。
【００１６】
この一の局面による電子機器において、好ましくは、第２配線基板に設けられた４個の第２スイッチ部が十字状に配置された場合に、第２配線基板の端部側に設けられた第２スイッチ部が、他の第２スイッチ部よりも第２スイッチ部の十字の交点に近くなるように配置されている。このように構成すれば、第２配線基板の端部側に設けられた第２スイッチ部を４つの第２スイッチ部の交点（中心点）に近づけることができる分、第２スイッチ部の十字の交点を第２配線基板の端部により近づけることができるので、操作ボタンも第２配線基板の端部により近づけて配置することができる。これにより、操作ボタンに隣接する表示部を第２配線基板の端部側により近い位置まで配置することができるので、より大きいサイズの表示部を配置することができる。
【００１７】
この場合、好ましくは、第２配線基板の少なくとも一部と平面的に見て重なるように配置された表示部をさらに備え、十字ボタンおよび中央ボタンを含む操作ボタンは、表示部に隣接するように設けられ、第２配線基板の表示部が配置される側とは反対側の端部側に設けられた第２スイッチ部が、他の第２スイッチ部よりも第２スイッチ部の十字の交点により近くなるように配置されている。このように構成すれば、第２配線基板の端部側に設けられた第２スイッチ部を４つの第２スイッチ部の交点（中心点）に近づけることができる分、第２スイッチ部の十字の交点を第２配線基板の端部により近づけることができるので、操作ボタンも第２配線基板の端部により近づけて配置することができる。これにより、操作ボタンに隣接する表示部を第２配線基板の端部側により近い位置まで配置することができるので、より大きいサイズの表示部を配置することができる。
【発明を実施するための最良の形態】
【００１８】
以下、本発明を具体化した実施形態を図面に基づいて説明する。
【００１９】
図１および図２は、本発明の一実施形態によるビデオカメラの全体構成を示す斜視図である。図３は、本発明の一実施形態によるビデオカメラの正面図である。図４〜図１６は、本発明の一実施形態によるビデオカメラの詳細を示す図である。まず、図１〜図１６を参照して、本発明の一実施形態によるビデオカメラ１の構造を説明する。なお、本実施形態では、電子機器の一例であるビデオカメラ１に本発明を適用した場合について説明する。
【００２０】
本発明の一実施形態によるビデオカメラ１は、図１〜図３に示すように、レンズ２と、ファインダ３と、ストロボ４と、撮影／録画ボタン５と、電源ボタン６と、中央ボタン７および十字ボタン８からなる操作ボタンと、撮像した画像を再生表示する液晶表示部９と、表示部保持ケース１０とを含んでいる。なお、液晶表示部９は、本発明の「表示部」の一例である。
【００２１】
また、ファインダ３は、ユーザがファインダ３を介して被写体を見ながら、撮影または録画範囲を決定することが可能なように構成されている。また、ストロボ４は、撮影時に発光する機能を有している。また、撮影／録画ボタン５は、撮影時に押圧することにより、撮影が行われるとともに、録画時に押圧することにより録画が行われるように構成されている。また、電源ボタン６は、ビデオカメラ１のＯＮ／ＯＦＦの設定を行うために設けられている。
【００２２】
また、図３、図４および図５に示すように、中央ボタン７は十字ボタン８により入力した事項を決定するときなどに用いられ、押圧可能なように構成されている。十字ボタン８は、十字状に配置された４つの押圧部（ボタン）を有する。具体的には、十字ボタン８は、右ボタン８ａと、左ボタン８ｂと、上ボタン８ｃと、下ボタン８ｄとにより構成されている。なお、右ボタン８ａ、左ボタン８ｂ、上ボタン８ｃおよび下ボタン８ｄは本発明の「押圧部」の一例である。また、液晶表示部９は、撮影した画像を再生表示するとともに、ビデオカメラ１の各種設定を行うメニュー画面（図示せず）を表示するために設けられている。また、メニュー画面（図示せず）における各種設定は、中央ボタン７および十字ボタン８を操作して設定するように構成されている。表示部保持ケース１０は、前面側ケース部１０ａおよび後面側ケース部１０ｂから構成されている。また、中央ボタン７および十字ボタン８からなる操作ボタンは、液晶表示部９に隣接するように設けられている。
【００２３】
また、本実施形態では、図６、図９、図１０、図１１、図１２および図１３に示すように、中央ボタン７の裏面には、中央ボタン７と一体的に形成された円柱状の第１ボス部７ａが設けられている。また、十字ボタン８の裏面には、十字ボタン８と一体的に形成された４つの円柱状の第２ボス部８ｅが設けられている。また、第１ボス部７ａは、後述する第２配線基板１３に設けられた穴部１３ａを介して第１配線基板１１の第１スイッチ部１２を押圧することが可能なように、第２ボス部８ｅよりも長く形成されている。
【００２４】
また、本実施形態では、図５および図７に示すように、液晶表示部９は平面的に見て、第２配線基板１３の一部と重なるように配置されている。また、図１０および図１４に示すように、操作ボタンを構成する中央ボタン７および十字ボタン８の裏面側には、中央ボタン７に対応する１個の第１スイッチ部１２を含む第１配線基板１１と、十字ボタン８に対応する４個の第２スイッチ部１４ａ、１４ｂ、１４ｃおよび１４ｄを含む第２配線基板１３とが平面的に見て重なるように配置されている。また、図１４〜図１６に示すように、第２配線基板１３の操作ボタンとは反対側に配置される１個の第１スイッチ部１２のみが配置される第１配線基板１１は、４個の第２スイッチ部１４ａ、１４ｂ、１４ｃおよび１４ｄが配置される第２配線基板１３よりも面積が小さくなるように形成されている。
【００２５】
また、本実施形態では、図７に示すように、操作ボタン側に配置される第２配線基板１３は、操作ボタンとは反対側に配置される第１配線基板１１に設けられた第１スイッチ部１２を押圧するための穴部１３ａを含んでいる。
【００２６】
また、本実施形態では、図１４〜図１６に示すように、第２配線基板１３に設けられた４個の第２スイッチ部１４が十字状に配置された場合に、第２配線基板１３の端部側に設けられた第２スイッチ部１４ａが、第２スイッチ部１４ｂ、第２スイッチ部１４ｃおよび第２スイッチ部１４ｄの十字の交点（穴部１３ａの中心）に近くなるように配置されている。つまり、第２スイッチ部１４ａの矢印Ｘ１方向側の端辺と穴部１３ａの中心線との距離Ｌ１は、第２スイッチ部１４ｂの矢印Ｘ２方向側の端辺と穴部１３ａの中心線との距離Ｌ２よりも短い。また、第２スイッチ部１４ａの矢印Ｘ２側の端辺は、第２配線基板１３の矢印Ｘ２側の端辺と実質的に同一線上に配置されている。
【００２７】
また、図６に示すように、液晶表示部９、第１配線基板１１および第２配線基板１３は、それぞれ、後面側ケース部１０ｂに一体的に設けられた支持部１０ｃによってそれぞれ支持されている。
【００２８】
また、図１２に示すように、中央ボタン７は、アーム部７ｂの先端に設けられた取付穴７ｃが前面側ケース部１０ａの裏面に一体的に設けられた凸状の取付部１０ｄに嵌め込まれることによって、前面側ケース部１０ａに固定されている。また、図１３に示すように、十字ボタン８は、アーム部８ｆの先端に設けられた取付穴８ｇが前面側ケース部１０ａの裏面に一体的に設けられた凸状の取付部１０ｄに嵌め込まれることによって、前面側ケース部１０ａに固定されている。
【００２９】
図１７〜図１９は、本発明の一実施形態によるビデオカメラの中央ボタンおよび十字ボタンの動作を説明するための図である。次に、図１２、図１３、図１７および図１８を参照して、本発明の一実施形態による中央ボタン７および十字ボタン８の動作について説明する。
【００３０】
まず、図１７に示した状態から図１８に示すように、中央ボタン７を矢印方向に押圧することにより、第１ボス部７ａを介して、第１ボス部７ａが第１スイッチ部１２に当接することにより第１スイッチ部１２が押圧される。
【００３１】
中央ボタン７のアーム７ｂは、前面側ケース部１０ａのボス部１０ｄに固定されているため（図１２参照）、押圧後は、アーム部７ｂの撓み変形による復元力により元の位置に戻る。
【００３２】
次に、十字ボタン８の動作としては、図１７に示した状態から図１９に示すように、十字ボタン８を矢印方向に押圧することにより、第２ボス部８ｅを介して、第２ボス部８ｅが第２スイッチ部１４ａに当接することにより第２スイッチ部１４ａが押圧される。
【００３３】
十字ボタン８のアーム部８ｆは、前面側ケース部１０ａのボス部１０ｄと固定されているため（図１３参照）、アーム部８ｆの撓み変形による復元力により元の位置に戻る。
【００３４】
本実施形態では、上記のように、押圧可能な中央ボタン７と中央ボタン７の周りに十字状に配置された押圧可能な４つの押圧部を含む十字ボタン８とで操作ボタンを構成することによって、中央ボタン７および十字ボタン８の２つのボタンによって操作ボタンを構成することができるので、操作ボタンの構造が複雑になるのを抑制することができる。また、中央ボタン７および十字ボタン８によって５通りの押圧が可能であるので、十分な操作性を期待することができる。また、操作ボタンの裏面側に、平面的に見て重なるように中央ボタン７に対応する１個の第１スイッチ部１２を含む第１配線基板１１と十字ボタン８の４つの押圧部に対応する４個の第２スイッチ部１４を含む第２配線基板１３とを構成することによって、第１スイッチ部１２および第２スイッチ部１４を２つの配線基板に分けて配置することができるので、第１スイッチ部１２および第２スイッチ部１４を１つの配線基板上に配置する場合に比べて、第２スイッチ部１４の少なくとも１つを十字ボタン８の交点（中心点）により近くなるように配置することができる。このため、第２スイッチ部１４を配置するのに必要な面積を小さくすることができる。その分、液晶表示部９などを配置するために必要な面積をより多く確保することができる。
【００３５】
また、本実施形態では、上記のように、第１配線基板１１および第２配線基板１３のうち、操作ボタン側に配置される側は、操作ボタンとは反対側に配置される側のスイッチ部を押圧するための穴部１３ａを含むように構成することによって、第１配線基板１１および第２配線基板１３を平面的に重なるように配置したとしても、容易に穴部１３ａを介して操作ボタンとは反対側に配置される側の第１配線基板の第１スイッチ部を押圧することができる。
【００３６】
また、本実施形態では、上記のように、中央ボタン７の裏面に一体的に設けられた第１ボス部７ａと、十字ボタン８の４つの押圧部の裏面に一体的に設けられた４つの第２ボス部８ｅとをさらに備え、第２配線基板１３は、第１配線基板１１よりも操作ボタン側に配置されるとともに、第２配線基板１３に穴部１３ａが設けられ、第１ボス部７ａの長さは第２ボス部８ｅの長さよりも大きく形成され、第１ボス部７ａは、第２配線基板１３の穴部１３ａを介して第１配線基板１１の第１スイッチ部１２を押圧可能なように構成することによって、容易に第１ボス部７ａを用いて、第２配線基板１３の穴部１３ａを介して第１配線基板１１の第１スイッチ部１２を押圧することができる。
【００３７】
また、本実施形態では、上記のように、第２配線基板１３の操作ボタンとは反対側に配置される第１配線基板１１は、第２配線基板１３よりも面積が小さくなるように形成することによって、第１配線基板１１とは別個に第２配線基板１３を設けた場合にも、配線基板の構成材料の量が大幅に増加するのを抑制することができる。
【００３８】
また、本実施形態では、上記のように、第２配線基板１３に設けられた４個の第２スイッチ部１４が十字状に配置された場合に、第２配線基板１３の端部側に設けられた第２スイッチ部１４ａが、他の第２スイッチ部１４ｂ、１４ｃおよび１４ｄよりも第２スイッチ部１４の十字の交点に近くなるように配置することによって、第２配線基板１３の端部側に設けられた第２スイッチ部１４ａを４つの第２スイッチ部１４の交点（中心点）に近づけることができる分、第２スイッチ部１４の十字の交点を第２配線基板１３の端部により近づけることができるので、操作ボタンも第２配線基板１３の端部により近づけて配置することができる。これにより、操作ボタンに隣接する液晶表示部９を第２配線基板１３の端部側により近い位置まで配置することができるので、より大きいサイズの液晶表示部９を配置することができる。
【００３９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４０】
たとえば、上記実施形態では、操作ボタンを備える電子機器の一例として、ビデオカメラを示したが、本発明はこれに限らず、操作ボタンを備えた電子機器であれば、ビデオカメラ以外の電子機器にも適用可能である。
【００４１】
また、上記実施形態では、穴部を含む第２配線基板の操作ボタンとは反対側に第１配線基板を配置し、第１ボス部が穴部を介して第１配線基板のスイッチ部を押圧する例を示したが、本発明はこれに限らず、第１配線基板の操作ボタンとは反対側に第２配線基板を配置し、第１配線基板に穴部を設けることにより、第２ボス部が穴部を介して第２配線基板のスイッチ部を押圧可能なように構成してもよい。
【００４２】
また、上記実施形態では、第２配線基板１３の端部側に設けられた第２スイッチ部１４ａが、他の第２スイッチ部１４ｂ、１４ｃおよび１４ｄよりも第２スイッチ部１４の十字の交点に近くなるように配置する例を示したが、本発明はこれに限らず、図２０に示すように、Ｘ１およびＸ２方向に沿って配置された第２スイッチ部１４ａおよび１４ｂの両方が、第２スイッチ部１４ｃおよび１４ｄよりも第２スイッチ部１４の十字の交点（穴部１３ａの中心）に近くなるように配置してもよい。つまり、矢印Ｘ１方向側の端辺と穴部１３ａの中心線との距離Ｌ１および第２スイッチ部１４ｂの矢印Ｘ２方向側の端辺と穴部１３ａの中心線との距離Ｌ２を第２スイッチ部１４ｃの矢印Ｙ１方向側の端辺と穴部１３ａの中心線との距離Ｌ３および第２スイッチ部１４ｄの矢印Ｙ２方向側の端辺と穴部１３ａの中心線との距離Ｌ４よりも短くなるようにしてもよい。
【図面の簡単な説明】
【００４３】
【図１】本発明の一実施形態によるビデオカメラの全体構成を示す斜視図である。
【図２】本発明の一実施形態によるビデオカメラの全体構成を示す斜視図である。
【図３】本発明の一実施形態によるビデオカメラの全体構成を示す正面図である。
【図４】本発明の一実施形態によるビデオカメラの表示部を示す斜視図である。
【図５】本発明の一実施形態によるビデオカメラの表示部を示す分解斜視図である。
【図６】本発明の一実施形態によるビデオカメラの表示部を示す図４の１００−１００線に沿った断面図である。
【図７】本発明の一実施形態によるビデオカメラの表示部を示す平面図である。
【図８】本発明の一実施形態によるビデオカメラの表示部の中央ボタンおよび十字ボタンを示す平面図である。
【図９】本発明の一実施形態によるビデオカメラの表示部の中央ボタンおよび十字ボタンを示す斜視図である。
【図１０】本発明の一実施形態によるビデオカメラの表示部の中央ボタンおよび十字ボタンを示す斜視図である。
【図１１】本発明の一実施形態によるビデオカメラの表示部の中央ボタンおよび十字ボタンを示す側面図である。
【図１２】本発明の一実施形態によるビデオカメラの表示部の中央ボタンおよび十字ボタンを示す図８の２００−２００線に沿った断面図である。
【図１３】本発明の一実施形態によるビデオカメラの表示部の中央ボタンおよび十字ボタンを示す図８の３００−３００線に沿った断面図である。
【図１４】本発明の一実施形態によるビデオカメラの第１配線基板および第２配線基板を示す斜視図である。
【図１５】本発明の一実施形態によるビデオカメラの第１配線基板および第２配線基板を示す平面図である。
【図１６】本発明の一実施形態によるビデオカメラの第１配線基板および第２配線基板を示す図１５の４００−４００線に沿った断面図である。
【図１７】本発明の一実施形態によるビデオカメラの表示部の中央ボタンおよび十字ボタンの動作を説明するための図４の１００−１００線に沿った断面図である。
【図１８】本発明の一実施形態によるビデオカメラの表示部の中央ボタンおよび十字ボタンの動作を説明するための図４の１００−１００線に沿った断面図である。
【図１９】本発明の一実施形態によるビデオカメラの表示部の中央ボタンおよび十字ボタンの動作を説明するための図４の１００−１００線に沿った断面図である。
【図２０】本発明の一実施形態による第２スイッチ部の配置に関する変形例を示す平面図である。
【符号の説明】
【００４４】
７  中央ボタン
７ａ  第１ボス部
８  十字ボタン
８ａ  右ボタン（押圧部）
８ｂ  左ボタン（押圧部）
８ｃ  上ボタン（押圧部）
８ｄ  下ボタン（押圧部）
８ｅ  第２ボス部
９  液晶表示部（表示部）
１１  第１配線基板
１２  第１スイッチ部
１３  第２配線基板
１３ａ  穴部
１４、１４ａ、１４ｂ、１４ｃ、１４ｄ  第２スイッチ部
【図１】
2009048844.tif 000003
【図２】
2009048844.tif 000004
【図３】
2009048844.tif 000005
【図４】
2009048844.tif 000006
【図５】
2009048844.tif 000007
【図６】
2009048844.tif 000008
【図７】
2009048844.tif 000009
【図８】
2009048844.tif 000010
【図９】
2009048844.tif 000011
【図１０】
2009048844.tif 000012
【図１１】
2009048844.tif 000013
【図１２】
2009048844.tif 000014
【図１３】
2009048844.tif 000015
【図１４】
2009048844.tif 000016
【図１５】
2009048844.tif 000017
【図１６】
2009048844.tif 000018
【図１７】
2009048844.tif 000019
【図１８】
2009048844.tif 000020
【図１９】
2009048844.tif 000021
【図２０】
2009048844.tif 000022